(57)【要約】  本発明は、連結要素（１１）を備えた、棒形状プロファイル要素のためのコーナコネクタ（１０）に関する。連結要素（１１）は、互いに対してほぼ垂直方向に向けられた、少なくとも２つの取り付け部（２０，２１）を含む。取り付け部（２０，２１）の各々は、取り付け部（２０，２１）と棒形状プロファイル要素（１８、１９、３９）の前端とが互いに係合連結されるように設計されている。また、前記前記コネクタは、少なくとも１つの斜め支柱（１２）を備え、当該斜め支柱（１２）の端部（２６，２７）が、斜め支柱（１２）の一端（２６，２７）と、前記棒形状プロファイル要素（１８，１９、３９）の側面に設けられた連結部（３０，３１，４８，４９）とが解除可能に互いに係合連結されるように構成されている。前記コーナコネクタ（１０）は、さらに、クランプ要素（１３）を備え、当クランプ要素（１３）は斜め支柱（１２）をコーナコネクタに向かって解除可能にクランプする。本発明は、さらに、組立システムに関し、この組立システムは、上記のコーナコネクタと、上記のコーナコネクタ及びプロファイル要素から成る支持又は保持フレームとから構成される。
2017529504.tif 000002
【特許請求の範囲】
【請求項１】
棒形状プロファイル要素のためのコーナコネクタ（１０）であって、
連結要素（１１）を備え、当該連結要素（１１）が少なくとも２つのコネクタセクション（２０，２１）を含み、当該コネクタセクション（２０，２１）が、互いに対してほぼ垂直に向けられ且つ各々が、１つのコネクタセクション（２０，２１）と前記棒形状プロファイル要素（１８，１９，３９）の１つの前端とが互いに係合連結されるように構成されており、前記コーナコネクタ（１０）が、さらに、
少なくとも１つの斜め支柱（１２）を備え、当該斜め支柱（１２）の端部（２６，２７）が、各々、当該斜め支柱（１２）の一端（２６，２７）と、前記棒形状プロファイル要素（１８，１９，３９）の周方向面上に設けられた１つの連結セクション（３０，３１，４８，４９）とが解除可能に互いに係合連結されるように構成されており、前記コーナコネクタ（１０）が、さらに、
テンショニング要素（１３）を備え、当該テンショニング要素（１３）が斜め支柱（１２）に、前記コーナコネクタに向かって解除可能に張力を加える、コーナコネクタ（１０）。
【請求項２】
前記コーナコネクタ（１０）と、連結されるべき前記棒形状プロファイル要素（１８，１９，３９）とが互いにポジティブロック式に連結されることを特徴とする、請求項１に記載のコーナコネクタ。
【請求項３】
突起（２８，２９）が前記斜め支柱（１２）の前記端部（２６，２７）に配置され、当該突起（２８，２９）が、前記棒形状プロファイル要素の前記周方向面の前記連結セクションにて切り抜かれたボア（３０，３１）内に係合可能なことを特徴とする、請求項２に記載のコーナコネクタ。
【請求項４】
凹部（４６，４７）が、前記斜め支柱（１２）の前記端部（２６，２７）内に切り抜かれており、当該凹部（４６，４７）内に、前記棒形状プロファイル要素の前記周方向面の前記連結セクションに配置されたピン（４８，４９）が係合可能なことを特徴とする、請求項２に記載のコーナコネクタ。
【請求項５】
前記コーナコネクタ（１１）の前記コネクタセクション（２０，２１）が、前記棒形状プロファイル要素のロッド断面にその断面が適合されたコネクタ要素（２２，２３）を含むことを特徴とする、請求項１〜４のいずれか一項に記載のコーナコネクタ。
【請求項６】
前記コネクタ要素（２０，２１）が前記コーナコネクタ（１１）の前記コネクタセクション（２０，２１）内に交換可能に配置されていることを特徴とする、請求項５に記載のコーナコネクタ。
【請求項７】
前記テンショニング要素（１３）の少なくとも１つが、前記連結要素（１１）にねじ込み可能なねじ（１４）を含むことを特徴とする、請求項１〜６のいずれか一項に記載のコーナコネクタ。
【請求項８】
前記テンショニング要素（１３）の少なくとも１つがクイックアクションテンショナ（４１）を含む、請求項１〜７のいずれか一項に記載のコーナコネクタ。
【請求項９】
前記連結要素（１１）が、２つ、３つ、４つ、５つ又は６つのコネクタセクション（２０，２１）を含み、各場合に、互いに隣接する２つのコネクタ要素が互いに対してほぼ垂直に向けられていることを特徴とする、請求項１〜８のいずれか一項に記載のコーナコネクタ。
【請求項１０】
棒形状プロファイル要素のための組立システムであって、請求項９に記載の複数のコーナコネクタを含み、少なくとも２つのコーナコネクタが、異なる個数のコネクタ要素（２０，２１）を有する、組立システム。
【請求項１１】
棒形状プロファイル要素（１８，１９）から組み立てられた耐荷重又は保持フレーム（６０）であって、少なくとも２つのプロファイル要素（１８，１９）が請求項１〜９のいずれか一項に記載のコーナコネクタ（１０）を介して互いに連結されていることを特徴とする、耐荷重又は保持フレーム（６０）。
【請求項１２】
前記フレーム（６０）が設置要素（６１）のための締結手段（５０，６２，６４，７０，７１）を含むことを特徴とする、請求項１１に記載の耐荷重又は保持フレーム。
【請求項１３】
前記締結手段が磁気ホルダ（５０）を含むことを特徴とする、請求項１２に記載の耐荷重又は保持フレーム。
【請求項１４】
前記締結手段が保持レール（７０）を含むことを特徴とする、請求項１２及び１３のいずれかに記載の耐荷重又は保持フレーム。
【請求項１５】
前記締結手段が弾性的に取り付けられた保持ピン（７１）を含むことを特徴とする、請求項１２〜１４のいずれか一項に記載の耐荷重又は保持フレーム。
【請求項１６】
前記締結手段が、前記フレーム内に切り抜かれた第１のスロット及び第２のスロット（６２，６４）を含み、前記設置要素（６１）が、前記フレーム（６０）に連結される各側辺上に、前記フレーム（６０）内に切り抜かれた第１開口部（６２）内に係合する少なくとも１つの第１の突起（６３）と、前記第１突起（６３）の長手方向延在部にほぼ対応している前記第１開口部（６２）の長手方向延在部と、前記フレーム（６０）内に切り抜かれた第２開口部（６４）内に係合する少なくとも１つの第２の突起（６５）とを有し、前記第２開口部（６４）の長手方向延在部が前記第２の突起（６５）の長手方向延在部よりも大きいことを特徴とする、請求項１２〜１５のいずれか一項に記載の耐荷重又は保持フレーム。
【発明の詳細な説明】
【技術分野】
【０００１】
本発明は、棒形状プロファイルシステムのためのコーナコネクタと、このタイプの複数の異なるコーナコネクタを含む組立体システムと、プロファイル要素から組み立てられ、少なくとも２つのプロファイル要素がコーナコネクタを介して互いに連結された耐荷重又は保持フレームとに関する。
【背景技術】
【０００２】
このタイプの耐荷重又は保持フレームが、例えば、本出願の出願人による特許文献１に記載されている。公知の耐荷重又は保持フレームは、保持フレーム周囲に保持された内側フレーム又は物体を有し、これがフレーム全体を、テンシル連結を介して安定させる。その結果、フレームを形成するプロファイル要素及びコーナコネクタを、単純なプラグイン（差し込み）連結部として構成でき、さらなる締結手段を使用せずに組み立てることができる。フレーム内部に設けられたテンショニング（張力印加）システムの利用可能性が制限されることが、この公知のフレームの欠点である。詳細には、矩形でない形状を用いる場合、テンショニング力を吸収するための内側フレームが必要であり、なぜなら、個々に適合されたコーナコネクタを少なくとも使用しなければ、斜めに延在するテンショニングケーブルを使用できないからである。
【０００３】
木工作業（特には、建具職人及び大工による）において、コーナ（角部）を形成するために互いに連結されるパネルを、斜め支柱又は斜めパネルを用いてさらに安定化する場合が多い。この場合、斜め支柱の端部は、通常、パネルにねじ止めされる。特許文献２は、４つのコーナポストを介して互いに連結された４つのサイドチークから成る、分解可能なベッドフレームを記載している。コーナ連結を形成するために、２つのサイドチークを、それらの端部がコーナポストの対応する止め面に面した状態で押す。これは、２つのコーナ支柱（それらの端部に、サイドチークの開口部内に係合する突起を有する）を補助として行われる。斜め支柱がコーナコネクタにねじ込まれ、従って、サイドチークをコーナコネクタの方向に押す。
【０００４】
特許文献２に記載されている連結技術は、棒形状プロファイル要素を含むフレーム及びフレームワークに適していない。なぜなら、この連結技術は、１つのコーナにつき少なくとも２つのコーナコネクタを、安定した連結のために必要とするからである。それでもなお、先行技術に記載されている構造は、コーナポストとサイドチークとの間に作用するかなりの力を全く吸収できない。従って、この構造は、この先行技術に記載されているベッドフレームの用途にのみ適している。この用途においては、スラット付きフレーム、マットレス、及び、ユーザにより加えられる力が、下向きにほぼ垂直に、且つ、コーナポストとサイドチークとの間の止め面に対して平行に作用する。また、特許文献２から公知のコーナコネクタを用いると、より複雑なフレーム又はフレームワークを構築できない。なぜなら、この公知のコーナコネクタは、最大で２つのサイドチークにしか適さないからである。
【先行技術文献】
【特許文献】
【０００５】
【特許文献１】独国特許明細第１９７３４３５０号明細書
【特許文献２】英国特許出願公開第２３９１８０２号明細書
【発明の概要】
【発明が解決しようとする課題】
【０００６】
本発明は、棒形状プロファイル要素のためのコーナコネクタを提供する技術的課題に基づいている。このコーナコネクタを用いて、棒形状プロファイル要素をより簡単且つ安定的に組み立てることができ、また、このコーナコネクタは、前記棒形状プロファイル要素からの、より複雑なフレーム及びフレームワーク（詳細には、すべての空間的方向に延在するフレームワーク）の構築を可能にする。
【課題を解決するための手段】
【０００７】
前記技術的課題は、本発明の請求項１に記載されているコーナコネクタを用いることで解決される。本発明によるコーナコネクタの有利な展開が、従属請求項の主題である。
【０００８】
従って、本発明の主題事項は、棒形状プロファイル要素のためのコーナコネクタであり、当該コーナコネクタは、少なくとも２つのコネクタセクションを含む連結要素を備え、当該コネクタセクションは、互いに対してほぼ垂直に向けられ、且つ、各々が、各場合に、１つのコネクタセクションと棒形状プロファイル要素の１つの前端とが互いに係合連結されるように構成されている。前記コーナコネクタは、さらに、少なくとも１つの斜め支柱を備え、当該斜め支柱の端部は、各々、当該斜め支柱の一端と、前記棒形状プロファイル要素の周方向面上に設けられた１つの連結セクションとが解除可能に互いに係合連結されるように構成されている。前記コーナコネクタは、さらにテンショニング要素を備え、当該テンショニング要素が斜め支柱に、前記コーナコネクタに向かって解除可能に張力を加える。
【０００９】
驚くべきことに、本発明によるコーナコネクタが、棒形状プロファイル要素と共に当該コーナコネクタから作成されたフレーム構造に、特に高い安定性をもたらすことが分かった。この安定性は、多くの場合において、棒形状プロファイル要素のための従来の連結システムよりもはるかに優れている。そして、本発明によるコーナコネクタを用いて作成したフレーム構造は、特に迅速且つ簡単に組み立て及び再分解できる。
【００１０】
本発明によるコーナコネクタに適したプロファイル要素の断面は、多種多様な一般的形状、すなわち、例えば、円形、楕円形、多角形（特には矩形若しくは正方形）であり得る。プロファイル要素は、多種多様な材料（例えば、金属、プラスチックまたは木材）から成り得る。プロファイル要素は、ロッドの形態の中実材料として、或いは、管状の中空プロファイルとして存在し得る。上述の一般的形状は、さらに、長手方向の構造物（例えば、溝、突起又は導管）を有して構成され得る。本発明の文脈において、用語「棒形状」(“rod-shaped”)はプロファイル要素を示し、このプロファイル要素の長さは、最大横断寸法よりも複数倍大きい（すなわち、例えば、円形断面を有するプロファイル要素の場合、直径よりも複数倍大きい。或いは、矩形断面を有するプロファイル要素の場合、断面の最長側辺より複数倍大きい）。これらの長さは、典型的に、最大横断寸法よりも、少なくとも１０倍、好ましくは、少なくとも２０倍大きい。また、棒形状プロファイル要素は、横断寸法が著しく変化しないプロファイル要素である。横断寸法は、円形、正方形、又は規則的な多角形の断面を有するプロファイル要素の場合と同様に、ほぼ同一であり得る。横断寸法が変化する場合（例えば、不規則な多角形断面を有するプロファイル要素の場合）、横断寸法（すなわち、この場合、断面の側辺長さ）は、最短側辺の５倍未満であり、好ましくは、最大でも２倍である。
【００１１】
連結要素は、それぞれの用途に適した任意の所望の材料（例えば、金属、特には鋳鉄、ステンレス鋼若しくはアルミニウム、又は、プラスチック若しくは木材）から構成でき、また、中実の材料からつくられても、或いは、中空体として製造されてもよい。
【００１２】
互いに対してほぼ垂直に向けられた前記２つのコネクタセクションは、連結されるべき前記棒形状プロファイル要素の前端と相互作用する。この相互作用は、前記コネクタセクションが前記プロファイル要素の前端上に係合するか、或いはその逆の状態、すなわち、前記プロファイル要素の前端が前記連結要素のコネクタセクションの上で係合するように行われる。従って、前記プロファイル要素と前記連結要素の前記コネクタセクションとが、前記プロファイル要素の端部領域にて重なり、これが、上述の先行技術とは対照的に、横方向の大きい力をも吸収可能な連結を保証する。また同時に、このようにして、前記プロファイル要素の適切な方向付けも保証され、これが、複雑なフレーム構造の構築を可能にする。英国特許出願公開第２３９１８０２号明細書から公知のコーナコネクタとは対照的に、本発明によるコーナコネクタは、コネクタセクションが、関連するプロファイル要素に重なり且つガイドされるため、２つのプロファイル要素の連結のために、１つの斜め支柱だけを必要とする。
【００１３】
コネクタセクションの「ほぼ垂直な向き」(“substantially perpendicular orientation”)が、ほぼ直角（好ましくは８０度〜１００度の範囲の角度、直角が特に好ましい）を取り囲むコネクタセクションを意味することが理解されよう。しかし、直角とは異なる場合、さらなる手段、例えば、テレスコープ状に可変の斜め支柱、及び／又は、斜め支柱の移動可能な端部が、斜め支柱によるプロファイル要素の固定的引張がそれでもなお可能であることを保証できる。しかし、このタイプの解決方法は、より複雑でより高価であるため、直角の角度が好ましい。
【００１４】
前記プロファイル要素は前記連結要素に締結され、これは、各場合に、前記斜め支柱の一端と、連結されるべき前記棒形状プロファイル要素の周方向面上に設けられた１つの連結セクションとが解除可能に互いに係合連結されることによる。最初はまだ緩い状態のテンショニング要素が、前記２つのプロファイル要素と前記斜め支柱とを組み立てることを可能にする。全ての部品が互いに係合されるとすぐに、前記斜め支柱に、前記コーナコネクタに向かって張力が加えられ、その結果、このようにして形成された組立体がしっかりと固定される。テンショニング要素を再び緩め得るので、このようにして形成された構造物を、ユーザは容易に再び解除もできる。
【００１５】
前記斜め支柱自体は、棒形状、プレート形状、又は、翼形状の構造であってもよく、或いは、細長いボックス形状の部品として構成されてもよい。特に、前記斜め支柱の端部が、連結されるべき前記プロファイル要素との比較的大きい接触面積を有する場合、前記斜め支柱の端部の形状は、前記プロファイル要素の外側形状に好都合に適合される。例えば、丸みを帯びたプロファイル要素の場合、対応する凹端面を前記斜め支柱の端部に設けることが可能である。
【００１６】
前記斜め支柱と前記棒形状プロファイル要素上に設置された前記連結セクションとは、好ましくは、前記コーナコネクタと、連結されるべき前記棒形状プロファイル要素とがポジティブロック式で互いに連結されるように互いに係合する。ポジティブロック連結の結果、連結されるべき部品は、前記テンショニング要素がまだ固定的に締結されていないときでも外れることがない。複数のコーナコネクタを含む構造の場合、これは、個々のテンショニング要素に、より一層固定的に交互に張力を加えることを可能にし、その結果、組立中の前記プロファイル要素が傾くことを効果的に防止できる。
【００１７】
一実施形態によれば、前記ポジティブロック連結は、突起が前記斜め支柱の端部に配置され、これらの突起が、前記棒形状プロファイル要素の前記周方向面の前記連結セクションに切り抜かれたボア内に係合することにより達成される。別の実施形態によれば、凹部が前記斜め支柱の前記端部に切り抜かれ、当該凹部内に、前記棒形状プロファイル要素の前記周方向面の前記連結セクション内に配置されたピンが係合できる。突起とピンとは、前記斜め支柱又は前記プロファイル要素と一体的に構成されても、或いは、別個の部品として、前記斜め支柱又は前記プロファイル要素に取り付けられてもよい。前記ボア及びピンは、これに対応して製造されたプロファイル要素に既に存在し得る。しかし、プロファイル要素に関し、慣用的な市販のプロファイル要素上にボア又はピンを形成するための対応する指示（例えば、それぞれのコーナコネクタに適合する穿孔ステンシルの形態）をユーザに与えることも可能である。
【００１８】
前記コーナコネクタの前記コネクタセクションは、特に好ましくはコネクタ要素を含み、当該コネクタ要素の断面は、棒形状プロファイル要素のロッド断面に適合される。このようにして、装置のテンショニング中の、プロファイル要素の特に効率的で遊びのないガイドが可能にされる。同時に、このようにして、非円形的に対称の横断面を有するプロファイル要素の場合も、当該プロファイル要素の回転防止が保証される。
【００１９】
前記コネクタ要素は、前記連結要素と一体的に構成され得る。しかし、別の実施形態によれば、前記コネクタ要素は、前記コーナコネクタの前記コネクタセクションに交換可能に配置される。その結果、異なるプロファイル要素を、全く同一の連結要素を用いて、適切なコネクタ要素を選択することにより連結できる。
【００２０】
前記テンショニング要素は、多種多様な方法で実現され得る。前記テンショニング要素が前記斜め支柱に、以下のように作用することが非常に重要である。すなわち、前記テンショニング要素の作動中に、前記斜め支柱が、連結されるべきプロファイル要素を前記連結要素の方向に引張り又は押圧し、その結果、構造物を確実に固定する。一実施形態によれば、前記テンショニング要素の少なくとも１つが、前記コーナコネクタにねじ込み可能なねじを含む。一変形例において、ねじ頭部が、前記斜め支柱上に直接、又は、ワッシャを介して載置され、そして、ねじ込まれるときに前記斜め支柱を前記連結要素の方向に押圧する。これと同時に、前記斜め支柱の端部が前記２つのプロファイル要素を前記連結要素の方向に押圧する。
【００２１】
別の実施形態によれば、前記テンショニング要素の少なくとも１つがクイックアクションテンショナを含み、このクイックアクションテンショナを用いて、上記のねじによる作用と同一の効果をなし得る。クイックアクションテンショナを用いた変形例は、本発明によるコーナコネクタを有するフレーム及びフレームワークを頻繁に組立て及び再解体しなければならない展示スタンド構造に、特に好ましい。
【００２２】
本発明による前記コーナコネクタの特別な利点の１つが、以下の事実により理解されよう。すなわち、前記コーナコネクタを、２つ以上のプロファイル要素のための多種多様な実施形態において作成でき、その結果、２次元フレーム構造だけでなく、むしろ特に、３次元フレーム及びフレームワークも、本発明による前記コーナコネクタを用いて実現できる。前記コネクタセクションが各々互いに対して垂直に向けられる好ましい変形例において、前記連結要素は、２つ、３つ、４つ、５つ、又は、６つものコネクタセクションを含み、その結果、２つ、３つ、４つ、５つ又は６つの棒形状プロファイル要素を、１つの連結要素を用いて互いに連結できる。ここで、各場合において、隣接した２つのコネクタ要素が、互いに対してほぼ垂直に向けられ、そこに取り付けられた前記プロファイル要素を、各々、斜め支柱を用いて互いに連結できる。２つより多数のコネクタセクションを有する変形例において、各プロファイル要素は、少なくとも１つのさらなるプロファイル要素に、斜め支柱を介して連結される。プロファイル要素が、直角に配置された１つより多数の隣り合うプロファイル要素を有する場合、構造条件に応じて、前記プロファイル要素を２つ以上のさらなるプロファイル要素に、斜め支柱を介して連結できる。
【００２３】
また、本発明の主題事項は、棒形状プロファイル要素のための組立システムであり、この組立システムは、本発明による、複数の（特には２つ以上のタイプの）コーナコネクタを含み、当該コーナコネクタの少なくとも２つが、異なる個数のコネクタ要素を有する。このタイプの組立システムは、複雑な２次元及び３次元のフレーム構造に好適である。前記プロファイル要素は、前記組立システムの特別に適合された要素であり得るか或いは、従来の市販のプロファイル要素であってもよいが、この場合も、前記プロファイル要素は、本発明による組立システムの前記斜め支柱と相互作用することが可能であるように、ユーザにより扱われなければならない。
【００２４】
最後に、本発明の主題事項は、また、棒形状プロファイル要素から組み立てられる、２次元又は３次元の耐荷重又は保持フレームでもあり、少なくとも２つのプロファイル要素が、本発明によるコーナコネクタを介して互いに連結されている。本発明によるコーナコネクタの外形状は、好ましくは、連結されるべき棒形状プロファイル要素に適合され、その結果、可能な限り均一な面を有する、視覚的及び機能的に良好なフレームの全体形状が、組立後に形成される。
【００２５】
従って、本発明は、また、プロファイル要素、特には棒形状プロファイル要素から組み立てられる、少なくとも２つのプロファイル要素がコーナコネクタを介して互いに連結された耐荷重又は保持フレームにも関する。本発明による耐荷重又は保持フレームは、前記コーナコネクタを介して連結された前記プロファイル支柱の端部が、さらに、前記コーナコネクタに向かって張力が加えられる解除可能な斜め支柱を介して互いに連結されることを特徴とする。
【００２６】
多数の利点が、本発明による方法に関連している。従って、簡単な連結要素が、対応するように溶接されたフレーム集中部よりも安定的なフレーム構造を保証する。本発明による前記耐荷重又は保持フレームは、簡単に分解でき、従って、良好に輸送できる。本発明による耐荷重又は保持フレームは、単純な標準的要素、例えばプロファイル管から構成され得る。また、多角形を、これに対応して構成されたコーナ部品を用いて安定的な方法で作成できる。本発明によるフレームは、溶接される必要がないため、溶接できないか又は溶接可能でも困難な材料も使用できる。従って、本発明による耐荷重又は保持フレームは、例えば、アルミニウムからも構成され得る。独国特許明細第１９７３４３５０号明細書の出願人により提示された方法とは対照的に、フレームの安定性のための内部フレーム（フレーム又はその他の物体内に、引張ケーブル構造を用いてクランプされる）を必要としないため、本発明による耐荷重又は保持フレームを用いることで、フレーム構造の、より高い多様性が保証される。
【００２７】
前記解除可能な斜め支柱は、好ましくは、前記プロファイル支柱に、前記プロファイル要素内に切り抜かれた開口部内に前記斜め支柱が係合するように連結される。その結果、前記斜め支柱を前記プロファイル要素に連結するためのさらなる締結手段は必要でない。前記斜め支柱は、その端部において、前記プロファイル要素の前記開口部内への係合を最適にするための適切なシェーピングにより適合され得る。例えば、前記プロファイル支柱は、前記プロファイル要素の前記開口部内に係合する、レーザ加工されたＬ字状の端部を有し得る。或いは、プロファイル支柱に、ストッパの形態の別個の部品（一端にて、前記プロファイル支柱の前記端部に係合し、他端にて、穿孔された穴に係合する）を設けることもできる。
【００２８】
前記斜め支柱に、好ましくは、ねじ又はクイックアクションテンショナにより、前記コーナコネクタに向かって張力が加えられる。このために、ねじ頭部が前記斜め支柱上に、例えばワッシャ又はロッキングワッシャを介して配置される。前記ねじの他端はその雄ねじにより、前記コーナコネクタのボアに設けられた雄ねじ内に係合する。前記ねじがねじ込まれると、前記斜め支柱が前記コーナコネクタに向かって引張られ、そして同時に、前記プロファイル要素を前記コーナコネクタに向かって引張る。このようにして、前記２つのプロファイル要素の、前記コーナコネクタへの（従って互いの）安定的な連結が保証されるだけでなく、同時に、前記プロファイル要素の、前記コーナコネクタにより予め決められている角度への位置合わせもされる。
【００２９】
特に良好なガイドのために、前記コーナコネクタは、各々、それぞれのプロファイル要素内に係合する１つのピンを有する。
【００３０】
１つの好ましい実施形態によれば、前記耐荷重又は保持フレームは、設置要素のための締結手段を含む。非常に多種多様な設置要素を、本発明による２次元又は３次元の耐荷重又は保持フレームに対して使用できる。設置要素として、特に展示スタンド構造で用いられるような壁要素、パネル、カバー、スクリーン又はシート、そしてまた棚なども、単なる例として挙げられるであろう。用途に応じて、フラップ、ドア若しくは窓、又はその他の照明及び音響システムも設置要素として使用できる。
【００３１】
一実施形態によれば、前記締結手段は磁気ホルダを含み、磁気ホルダは、例えば、前記テンショニング手段、前記連結要素、及び／又は前記プロファイル要素の上又は内部に配置され得る。磁気ホルダは、特に、パネル、カバーなどを取り付けるのに適している。
【００３２】
或いは、又は、さらに、前記締結手段は保持レールも含み得る。好ましくは、この保持レールに溝が作成され、この溝内に、例えば、スクリーン又は織物のエッジストリップを挿入できる。
【００３３】
さらなる変形例によれば、前記締結手段は、弾性的に取り付けられた保持ピンを含む。この保持ピンは、例えば、クランプピンとして構成され、このクランプピン内に、パネル状の設置要素を挿入できる。前記保持ピンの、フレームへの弾性締結により、前記設置要素に作用する熱的又は機械的負荷を効果的に補償できる。
【００３４】
さらなる変形例によれば、前記締結手段は、前記フレーム内に切り抜かれた第１のスロット及び第２のスロットを含み、前記設置要素は、前記フレームに連結される各側辺上に、前記フレーム内に切り抜かれた第１の開口部内に係合する少なくとも１つの第１の突起を有する。当該第１開口部の長手方向延在部は、前記第１突起の長手方向延在部にほぼ対応している。また、前記設置要素は、前記フレーム内に切り抜かれた第２の開口部内に係合する少なくとも１つの第２の突起を有する。前記第２の開口部の長手方向延在部は、前記第２の突出部の長手方向延在部よりも大きい。
【００３５】
すなわち、好ましい一実施形態によれば、前記フレームにより支持される少なくとも１つの設置要素が提供され、前記設置要素は、前記フレームに連結される各側辺上に、前記フレーム内に切り抜かれた第１の開口部内に係合する少なくとも１つの突起を有する。前記第１の開口部の長手方向延在部は、前記第１突起の長手方向延在部にほぼ対応している。また、前記設置要素は、前記フレーム内に切り抜かれた第２の開口部内に係合する少なくとも１つの第２の突起を有する。前記第２の開口部の長手方向延在部は、前記第２の突出部の長手方向延在部よりも大きい。
【００３６】
また、閉鎖されたフレームだけでなく、開放されたフレームシステム、例えばブラケットも、本発明による耐荷重又は保持フレームとして構成できることも特に有利である。
【００３７】
本発明は、非常に広範な分野（例えば、展示スタンド構造、レール構築などにおけるスチール構造、園芸）で使用でき、それだけでなく、不動構造物への可搬フレーム及びコンテナ（例えば、車両のための棚システム、ガレージ又は保管室、ガーデニングツールなど）の様々な寸法のハウジングの作成に用いられ得る。
【００３８】
以下の文章において、本発明を、添付図面に示された例示的な実施形態に関し、より詳細に説明する。
【図面の簡単な説明】
【００３９】
【図１】棒形状プロファイル要素のための、本発明によるコーナコネクタの第１の実施形態の長手方向断面の概略図である。
【図２】本発明によるコーナコネクタの第２の実施形態の、図１と類似の図である。
【図３】本発明によるコーナコネクタの第３の実施形態の、図１と類似の図である。
【図４】本発明によるコーナコネクタの第４の実施形態の、図１と類似の図である。
【図５】本発明によるコーナコネクタの第５の実施形態の、図１と類似の図である。
【図６】図５の保持ピンの第１実施形態の部分断面図である。
【図７】図６の保持ピンの平面図である。
【図８】図５の保持ピンの第２実施形態の部分断面図である。
【図９】図８の保持ピンの平面図である。
【図１０】本発明によるコーナコネクタから組み立てられた保持フレーム、及び、設置要素を有する棒形状プロファイル要素の後面図である。
【図１１】図１０の保持フレームの、一部領域を断面で示した概略正面図である。
【図１２】本発明による保持フレームのさらなる実施形態を、設置部品と共に示した図である。
【図１３】本発明による保持フレームの、エッジレールを有する１つの変形例の詳細な斜視図である。
【図１４】本発明による保持フレームの、締結溝を有する１つの変形例の詳細な斜視図である。
【図１５】本発明による、設置部品を保持フレーム内に締結するためのさらなる変形例の概略図である。
【図１６】本発明による様々なコーナコネクタ、及び棒形状プロファイル要素から組み立てられた３次元フレームの概略図である。
【発明を実施するための形態】
【００４０】
以下の説明において、同一又は類似の機能を果たす部品は、部品の特定の構造が個々の実施形態で異なる場合においても同一の参照番号により示す。
【００４１】
図１は、棒形状のプロファイル要素を接続するための本発明によるコーナコネクタ１０の第１の実施形態を示す。コーナコネクタ１０は、連結要素１１と、斜め支柱１２と、テンショニング（張力印加）要素１３とを備えている。図示されている例において、テンショニング要素１３は六角形ソケットねじ１４から成り、ソケットねじ１４は、斜め支柱１２内に切り抜かれた穴１５に差し込まれ、ソケットねじ１４の頭部１６が斜め支柱１２上に位置する状態で配置されている。六角形ソケットねじ１４は、連結要素１１内に切り抜かれたねじ１７にねじ込まれている。図示されている実施形態において、ロッド形状の２つのプロファイル要素１８，１９（図１では点線で示す）が、連結要素１１を用いて９０度の角度で互いに連結されている。このために、連結要素１１は、互いに対して９０度の角度で配置された２つのアーム２０，２１を有し、アーム２０，２１はそれぞれ、連結されるべき棒形状プロファイル要素１８，１９内に係合する突起２２，２３を有する。図示されている実施形態において、棒形状プロファイル要素１８，１９の外壁２４，２５が突起２２，２３の周囲に係合しており、その結果、棒形状プロファイル要素１８，１９が突起２２、２３上にガイドされている。これは、慣用的なプラグイン（差し込み）連結と同様である。棒形状プロファイル要素の従来の連結よりも著しく優れた、２つの棒形状プロファイル要素１８，１９の特に安定的なコーナ連結が、本発明により提供される斜め支柱１２を用いて達成される。斜め支柱１２の２つの端部２６，２７が、連結されるべき２つの棒形状プロファイル要素１８，１９と相互作用している。この連結は、テンショニング要素１３のテンショニング中に（図示されている例では、連結要素１１のねじ１７内にねじ込まれている六角形ソケットねじ１４を用いて）、２つの棒形状プロファイル要素が連結要素１１に向かって矢印Ｐ１，Ｐ２の方向に引っ張られるように行われる。
【００４２】
図示されている例において、このために、１つのボア３０，３１が、棒形状プロファイル要素１８，１９の各々にて切り抜かれている。このボア３０，３１内に、それぞれ、斜め支柱１２の端部２６，２７に配置された１つの突起２８，２９が係合している。図面から理解されるように、ボア３０，３１は、配置方向Ｐ１，Ｐ２において、それぞれの突起２８，２９よりも幾分大きい。これにより、斜め支柱１２を、テンショニング要素１３が解除されるときに再び容易に取り外しできる。
【００４３】
棒形状プロファイル要素１８，１９は、例えば、特別なシステム（それぞれのコーナコネクタに適合された対応するボアが既に切り抜かれている）の一部であり得る。また、代替案として、コーナコネクタを、慣用的な市販のプロファイル要素（例えば、円筒状若しくは矩形の管、又は、対応する中実の要素）として製造し、ユーザに、これに対応するように適合された穿孔ステンシルをコーナコネクタと共に与えることも考えられる。この穿孔ステンシルを補助として、ユーザ（彼／彼女）は、ボア３０，３１を彼自身／彼女自身で作成できる。このタイプのシステムは特に融通性が高い。なぜなら、ユーザが、対応する棒形状プロファイル要素１８，１９の長さを彼／彼女自身で決められるからである。
【００４４】
コーナコネクタ１１は、中実の材料から成っていても、或いは、中空の部品（任意選択的に、安定化リブ又は支柱を有する）として構成されてもよい。コーナコネクタの外寸は、好ましくは、連結されるべき棒形状プロファイル要素に適合され、その結果、視覚的にも面一の印象をもたらす。矢印Ｐ１，Ｐ２により示されている長手方向に対して垂直な断面において、棒形状プロファイル要素１８、及び、任意選択的に棒形状プロファイル要素１８に適合されるコーナコネクタ１１は、ほぼ任意の形状を有することが可能であり、プロファイル要素が矩形又は円形断面を有することが好ましい。
【００４５】
図２は、図１のコーナコネクタの１つの変形例を示す。この変形例においては、連結されるべきプロファイル管１８，１９及びコーナコネクタ１０の両方が、各々、中空要素として構成されている。各々がプロファイル要素１１に固定的に連結された突起（図１の符号２２，２３を参照）の代わりに、図２の変形例は、２つのコネクタ部品２２及び２３を有する。コネクタ部品２２及び２３は、各々、連結要素１１のアーム２０，２１の中空プロファイル内に係合し、且つ、連結されるべき棒形状プロファイル要素１８，１９の端部側開口部内に係合している。２つのコネクタ部品２２，２３はコーナコネクタ１１に、ラッチリップ１２２，１２３を介して固定されている。
【００４６】
このタイプのシステムは特に融通性が高い。なぜなら、図示されているように、例えば、図３の変形例において、全く同一の連結要素１１を、異なる棒形状プロファイル要素に、異なるコネクタ要素を用いて容易に適合させることができるからである。そして、図３に示されている例において、プロファイル要素１８，１９は、各々、中央チャネル３２及び３３を有し、これらのチャネル内に、コネクタ要素２２，２３のピン形状の突起３４，３５が係合している。
【００４７】
さらに、図３の変形例は、コーナコネクタ１１の厚さ（図３の図面の面に対して垂直方向に測定される）を、ねじ１７の領域６７において、対応する厚さ（例えば、ねじ１７の挿入のためになお必要な厚さ）まで低減できる。詳細には、図１０及び図１１に示されているように、このようにして設置部品を、本発明によるコーナコネクタ、棒形状プロファイル要素、及び、当該コーナコネクタの上側及び下側を越えて超えて突出しないフレームワークからつくられた、フレーム内に設置できる。
【００４８】
図１に示した変形例（連結要素１１に、連結されるべき棒形状プロファイル要素１８，１９内に係合する突起２２，２３が設けられている）の代わりに、棒形状プロファイル要素１８，１９が、それらの末端側の端部に、連結要素１１のアーム２０，２１の対応するカットアウト内に係合する突起を有し得ることは言うまでもない。このタイプの変形例は、連結されるべき棒形状プロファイル要素が、例えば中実の材料から成る場合に、特に好ましい。
【００４９】
プロファイル要素の材料が柔軟な又は脆弱な材料から成る場合、対応する突起を、別の、より高耐久性の材料から製造することも提案できる。このタイプの変形例が図４に示されている。この例において、棒形状プロファイル要素１８，１９が、木材を含む中実の材料から成り、一方、金属からつくられた突起２２，２３が、棒形状プロファイル要素１８，１９の末端側にねじ込まれて、連結要素１１のアーム２０，２１内に切り抜かれた凹部３６、３７内に係合している。柔軟な材料から成るプロファイル要素の場合、プロファイル要素１８，１９内のボア３０，３１を、例えば、補強のための金属リングを用いて裏打ちできる。しかし、このタイプの場合、ボアの代わりに、図５、図８及び図９に示す、ねじ込みガイドピンを有する変形例を用いることが好ましいであろう。
【００５０】
図１〜図４に示した変形例において、斜め支柱１２は、各々、その端部２６，２７に突起２８，２９を有する。この突起２８，２９は、棒形状プロファイル要素１８，１９の外郭内の凹部又はボア３０，３１内に係合する。これとは逆に、プロファイル要素と斜め支柱との間のノンポジティブ(non-positive)連結も達成できる。これは、棒形状プロファイル要素の外郭上に突出ピンを設け、このピンが、斜め支柱１２の端部２６，２７に切り抜かれた適切な受け入れ部内に係合することによる。このタイプのピンは、それぞれのプロファイル要素と一体的に（例えば、適切な方法で形成されて）構成され得るか、或いは、別個の部品としてプロファイル要素の外郭に、接着剤での接着、溶接、ねじ込みにより、又は、ノンポジティブ及び／若しくはポジティブロッキングで取り付けられてもよい。後者の変形例を、特に以下の文章で、図５〜図９の実施形態に関してさらに詳細に説明する。
【００５１】
図５の実施形態において、コーナコネクタ１０は、３つのアーム２０，２１，３８を有し、すなわち、合計３つの棒形状プロファイル要素１８，１９，３９の連結のために機能する。図示されている実施形態において、コーナコネクタ１０は、Ｔ字状のコネクタとして構成されすなわち、連結されるべきプロファイル要素１８，１９，３９が１つの平面に存在する。その他の変形例において、３つのプロファイル要素のためのコーナコネクタが、図５に示された図面の面に対して垂直に向けられるさらなる１つのアームも有し、この結果、３次元フレーム／フレームワークも製造可能となる。この場合、コーナコネクタは直方体の角部を形成することになる。これに対応し、３つよりも多数のプロファイル要素のためのより複雑なコーナコネクタも考えられる。例えば、図５に示したコーナコネクタから進展させて、コーナコネクタの変形例が、追加のアームを有し得る。これらのアームは、例えば、図面の面内で上方に向けられ（すなわちアーム２０の反対側に延在する）、及び／若しくは、図面の面に対する垂直方向において、前方に、並びに／又は、後方に延在できる。こうして、コーナコネクタは、本発明によるシステムを用いて構成されることができ、このコーナコネクタに、最大６つの斜め支柱を連結でき、各々において、２つが斜め支柱により直角に支えられる。より複雑な３次元フレームのための一例については、図１６を参照しつつ、より詳細に後述する。
【００５２】
図５の実施形態において、テンショニング要素１３の２つの変形例、及び、斜め支柱の端部とプロファイル要素との連結の２つの変形例が示されている。棒形状プロファイル要素１８と棒形状プロファイル要素１９とを連結しているテンショニング要素１３は、図１に示したテンショニング要素に相応している。これとは対照的に、棒形状プロファイル要素１８と棒形状プロファイル要素３９とを連結しているテンショニング要素１３は、斜め支柱４０から成り、斜め支柱４０に、クイックアクションテンショナ４１を介して、連結要素１１のアーム２０，３８の角部に向かって張力が加えられる。クイックアクションテンショナ４１はガイドピン４２を含み、ガイドピン４２は、連結要素１１の、アーム２０，３８により形成された前記角部に固定され、斜め支柱４０を通過し、そして、偏心的に取り付けられたテンションレバー４３に接続されている。このテンションレバー４３を用いて、斜め支柱４０に、連結要素１１の方向（ガイドピン４２周囲に巻き付けられた復元ばね４５の力に対抗）に張力が、プレート４４を介して加えられ得る。
【００５３】
斜め支柱４０は、その端部２６，２７に、いかなる突起も有さず、これは斜め支柱１２と対照的である。その代わりに、斜め支柱４０は凹部４６，４７を有し、凹部４６，４７内に、棒形状プロファイル要素１８，３９に留め付けられているピン４８，４９が係合する。凹部４６，４７はピン４８，４９の頭部よりも幾分幅広の構造であり、その結果、斜め支柱４０は、テンションレバー４３の開放中にわずかに解放され得る。テンションレバーの閉鎖中、図示されているように、凹部の（運動方向における）後部が、ピン４８，４９のための止め部を形成し、これにより、プロファイル要素１８，３９を、連結要素１１の方向に押し付ける。言うまでもなく、クイックアクションテンショナ４１に関して示したピンの変形例を、慣用的な方法でねじ込まれる斜め支柱と組み合わせて（例えば六角形ソケットねじ１４と組み合わせて）用いることもできる。クイックアクションテンショナを用いる変形例は、このような方法で構築された２次元フレーム又は３次元フレームワークを組み立て、そして再び迅速に解体しなければならない用途、例えば展示スタンド構造などに、特に好ましい。このタイプの用途のために、保持要素も、例えば斜め支柱上に設けられ、この保持要素に、パネル又はその他の壁トリムを固定できる。例として、図５の実施形態において、例えば、斜め支柱４０の上側に磁気ホルダ５０を配置し、この磁気ホルダ５０に、磁気パネル又は非磁気パネル（磁気的保持点を備えている）を留め付けることが可能である（図１２及び図１３を参照）。言うまでもなく、対応する磁気ホルダを斜め支柱４０の反対側にも設けることができ、これにより、フレームを両側からカバーできる。
【００５４】
本発明によるコーナテンショナの特別な利点の１つは、多角形の断面を有する棒形状プロファイル要素、及び、それに適合された、連結要素１１の端部２０，２１，３８におけるコネクタセクション（突起２２，２３又は凹部３６，３７）の場合、プロファイル要素のための回転防止保護が同時に保証されるという事実から理解できよう。円形断面を有する棒形状プロファイル要素の場合、回転防止保護は、例えば、プロファイル要素の端部にガイドレール又は溝を設け、これらが、組立中に、連結要素の突起／凹部上に切り抜かれた対応する溝／レール内に係合することにより保証され得る。しかし、本発明によるコーナコネクタを、円形断面を有する市販の管又は中実材料ロッドと共に使用しようとする場合、管又はロッドの回転防止保護は、コーナコネクタの突起（図５のコーナコネクタ１１のアーム３８の突起２３を参照）が、棒形状プロファイル要素内に導入されるボア（図５の符号４７）と重なるように構成することによっても保証できる。この場合、ボアが、突起２３内に達する程度に深く構成され、或いは、突起２３が、対応する、予めつくられたボア又は長手方向スロットを既に有し、その結果、ピン４９のペグが、突起のボア又は長手方向内までにも達する。
【００５５】
図６〜図９は、図５に示した保持ピンの４８，４９の２つの変形例を示す。図６及び図７（それぞれ断面図及び平面図）に示されている実施形態において、ピン４８，４９は、ヘッド５１及びペグ５２を有する。ペグ５２の外径は、棒形状プロファイル要素１８，１９、３９内に切り抜かれたボア／凹部の内径にほぼ対応しており、且つ、ボア／凹部内に、ヘッド５１が棒形状プロファイル要素の外側に位置するように押し込まれる。図６及び図７の変形例は、保持装置として弾性のＯリング５３を有し、Ｏリング５３は、押し込まれているときに圧縮され、そして、プロファイル要素の内部で拡張でき、これにより、ピン４８，４９がボアから抜け落ちることを防止する。回転防止保護装置として、ピン４８，４９は、ペグ５２の、ヘッド５１に隣接した領域に溝５４を有し得る。前記溝は、設置状態において、棒形状プロファイル要素の壁部又は外郭２５（図６にて点線を用いて示す）の高さに直接配置される。このタイプの変形例は、中空の棒形状プロファイル要素の場合に好適に用いられる。これとは対照的に、図８及び図９に示した変形例が、中実の棒形状プロファイル要素の場合に好適に用いられる。図８及び図９に示されているピン４８，４９の変形例は、図６及び図７のピンの変形例にほぼ相応しているが、Ｏリング５３の代わりに連続ボア５５が設けられていることが異なる。この連続ボア５５を通して、ピン４８，４９をプロファイル要素内にねじ込みできる。図示されている変形例の代替案として、ヘッド部５１及びペグ５２のみから成るピン４８，４９を、プロファイル要素のボア／開口部内に、接着剤で接着、溶接、リベット取り付け、又は、その他の何らかの方法で締結できる。
【００５６】
図１０は、４つのプロファイル要素１８，１９から組み立てられた矩形の保持フレーム６０を示す。これらのプロファイル要素は、各々、４つのコーナコネクタを介して互いに連結されており、これらのコーナコネクタが、各々、１つの連結要素１１、１つの斜め支柱１２、及び、１つのテンショニング要素１３（テンショニングねじ１４として示されている）を含む。図示されている例において、パネル６１として構成されている設置要素が、保持フレーム６０内に嵌め込まれている。特に図１１の背面図から理解されるように、中央スロット６２がフレームの各側辺に切り抜かれており、このスロット６２内に、パネル６１の第１の突起６３が正確に嵌め込まれて係合している。第１の中央スロット６２及び突起６３が、パネル６１を保持フレーム６０内に正確に嵌め込んで固定している。第２のスロット６４が、各プロファイル要素の１８，１９の端部に切り抜かれており、第２スロット６４は、第２スロット６４内に係合する、パネル６１の対応する第２の突起６５よりも幾分長い。この結果、熱及び／又は機械的負荷が加えられても、パネル６１の端部と、プロファイル要素１８、１９から作成されたフレーム６０との間の幾分の遊びが可能である。従って、パネル６１の、応力に起因する曲げを効果的に防止できる。図示されている例において、パネル６１は、スロット及び突起の対応する寸法により、フレームから所定の間隔を有して保持される。
【００５７】
図示されている例において、パネル６１は、べベル（傾斜）コーナ６６を有する。このタイプの方法は、例えば、連結要素１１がプロファイル要素の１８，１９と同じ厚さ（図面の面に対して垂直に測定）を有する場合に選択され得る。しかし、厚さがより薄い連結要素を、例えば、符号６７で示されている領域に設けることも可能であり、これにより、パネル６１を、べベルコーナを有さない矩形の構造になし得る。より薄い領域６７が、テンショニング要素１３のテンショニングねじ１４の端部を受け入れ、又は、クイックアクションテンショナ４１の安定的取り付けを提供するために、なお十分な厚さを有することのみが必須である。
【００５８】
図１２は、本発明による保持フレーム６０の１つの変形例を示す。この変形例において、使用されるパネル６１は、フレームと面一で終端している。このために、連結要素１１は、（及び、任意選択的にプロファイル要素１８，１９も）厚さがより薄い適切なベアリング領域を有し、この領域内にパネルを面一に嵌め込みできる。このタイプの場合、図１０及び図１１に示した突起及びスロットを含むシステムは、パネル６１を締結するために用いられず、代わりに、別の適切な保持システムが用いられる。永久的な嵌め込みの場合、パネル６１を連結要素１１及び／又は棒形状プロファイル要素１８，１９に、接着剤により接着するか又はねじ留めできる。或いは、クリップ、両面粘着テープ、又はフック及びループファスナによる締結も適切であろう。磁気による、例えば、斜め支柱１２上に取り付けられた磁気ホルダ（図５の符号５０を参照）を補助とする締結が特に好ましい。このタイプの場合、対応する保持磁石（図１２の符号６８を参照）がパネルの片側に設けられ、この保持磁石が磁気ホルダ５０と相互作用する。
【００５９】
特に好ましい１つの変形例が図１３に示されている。この変形例において、連結要素１１及び棒形状プロファイル要素１９は、薄い周方向ウェブ６９のみがパネル６１をパネル６１の縁にて囲み、ウェブの深さがパネル６１の厚さにほぼ対応するように切り抜かれている。組立状態において、フレーム又はフレームワークが構成され、この構成において、パネル６１のみがまだ外側から目視され、薄いウェブ６９はパネルの間から見える状態に構成できる。必要に応じて、連結要素１１及びプロファイル要素１８，１９にこのタイプのウェブを設けて、パネルを片側のみ又は対向する両側に嵌め込み得る。図１３に見られるように、設置要素１１及びプロファイル要素１８，１９の末端側にも、対応するウェブが設けられ、これにより、このようにして形成されたフレームは、全ての側からカバーされ得る。この場合、磁気ホルダを、例えば中空のプロファイル要素１８，１９内に押し込むことができ、この磁気ホルダが、対応して外側に取り付けられたパネルを保持する。
【００６０】
図１４は、本発明による保持フレーム６０のさらなる変形例を示す。この変形例において、クランプレール７０が、連結要素１１の（及び、任意選択的に、プロファイル要素１８，１９の）前側及び／又は後側に取り付けられており、このクランプレール７０内に、例えば、設置要素６１のエッジレールを挿入できる。このタイプの設置要素の取り付けタイプは、設置要素６１が、エッジレールが設けられた織物、例えば、伸縮織物などである場合に特に好ましい。設置要素６１の、フレームからの間隔もまた、エッジレールの対応する寸法に適合できる。これは、例えば、設置要素６１と保持フレーム６０との間に、照明装置、ラウドスピーカなども配置しようとする場合に特に有利である。
【００６１】
最後に、図１５は、パネル状の設置要素のためのさらなる締結変形例を示す。この場合、パネル６１は、スロット付き保持ペン７１を用いて保持され、この保持ピン７１内にパネル６１が押し込まれる。保持ピン７１は、棒形状プロファイル要素１８，１９に、弾性リング７２を介して連結されている。この場合、本発明により提供されるコーナコネクタを用いれば、単一部品ピン７１の使用が可能である。なぜなら、パネルが既に、フレームの組立中に嵌め込まれているからである。弾性リング７２により、熱的又は機械的要因による応力が生じた場合にも、システムが幾分移動することが可能であり、これより、パネル／フレームが熱により膨張した場合でも、パネル６１を、フラットでうねりの無い状態で配置することが保証される。
【００６２】
本発明によるコーナ連結システムの特別な利点の１つが、１次元、２次元及び３次元構造の多種多様なフレーム及びフレームワークを迅速且つ安定的に作成可能であることが理解されよう。
【００６３】
最後に、図１６は、プロファイル要素から組み立てられた、本発明によるコーナコネクタの多種多様な変形例を用いて作成された３次元フレームを示す。図１〜図４を参照して示した、２つのプロファイル要素１８，１９のためのコーナコネクタ１１に加え、３つのプロファイル要素のためのコーナコネクタ１１１が示されている。コーナコネクタ１１１の場合、図５に示したＴ字状のコーナコネクタとは対照的に、３つのアームが全て互いに対して垂直に配置されているが、それにより、３次元フレームの構造に適している。最後に、図１６に示されている実施形態において、プロファイル要素１８，１９用のコーナコネクタ２１１も用いられている。図１６の例において、テンショニング要素１３は、明瞭化のために非常に概略的にのみ示されている。
【符号の説明】
【００６４】
１０  コーナコネクタ
１１  連結要素
１２  斜め支柱
１３  テンショニング要素
１４  ソケットねじ
１７  ねじ
１８  プロファイル要素
１９  プロファイル要素
２０  アーム
２１  アーム
２２  突起（コネクタ部品）
２３  突起（コネクタ部品）
２６  斜め支柱の端部
２７  斜め支柱の端部
２８  突起
２９  突起
３０  ボア
３１  ボア
３９  プロファイル要素
４１  クイックアクションテンショナ
４８  ピン
４９  ピン
５０  磁気ホルダ
５３  弾性のＯリング
６１  設置要素
７１  保持ピン
７２  弾性リング
【図１】
2017529504.tif 000003
【図２】
2017529504.tif 000004
【図３】
2017529504.tif 000005
【図４】
2017529504.tif 000006
【図５】
2017529504.tif 000007
【図６】
2017529504.tif 000008
【図７】
2017529504.tif 000009
【図８】
2017529504.tif 000010
【図９】
2017529504.tif 000011
【図１０】
2017529504.tif 000012
【図１１】
2017529504.tif 000013
【図１２】
2017529504.tif 000014
【図１３】
2017529504.tif 000015
【図１４】
2017529504.tif 000016
【図１５】
2017529504.tif 000017
【図１６】
2017529504.tif 000018
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
棒形状プロファイル要素のためのコーナコネクタ（１０）であって、
連結要素（１１）を備え、当該連結要素（１１）が少なくとも２つのコネクタセクション（２０，２１）を含み、当該コネクタセクション（２０，２１）が、互いに対してほぼ垂直に向けられ且つ各々が、１つのコネクタセクション（２０，２１）と前記棒形状プロファイル要素（１８，１９，３９）の１つの前端とが互いに係合連結されるように構成されており、前記コーナコネクタ（１０）が、さらに、
少なくとも１つの斜め支柱（１２）を備え、当該斜め支柱（１２）の端部（２６，２７）が、各々、当該斜め支柱（１２）の一端（２６，２７）と、前記棒形状プロファイル要素（１８，１９，３９）の周方向面上に設けられた１つの連結セクション（３０，３１，４８，４９）とが解除可能に互いに係合連結されるように構成されており、前記コーナコネクタ（１０）が、さらに、
テンショニング要素（１３）を備え、当該テンショニング要素（１３）が、斜め支柱（１２）に、前記コーナコネクタに向かって解除可能に張力を加え、前記テンショニング要素（１３）が、前記連結要素（１１）にて切り抜かれた前記少なくとも１つの雌ねじ（１７）にねじ込まれることができるねじ（１４）を含み、且つ／又は、クイックアクションテンショナ（４１）を含む、コーナコネクタ（１０）。
【請求項２】
前記コーナコネクタ（１０）と、連結されるべき前記棒形状プロファイル要素（１８，１９，３９）とが互いにポジティブロック式に連結されることを特徴とする、請求項１に記載のコーナコネクタ。
【請求項３】
突起（２８，２９）が前記斜め支柱（１２）の前記端部（２６，２７）に配置され、当該突起（２８，２９）が、前記棒形状プロファイル要素の前記周方向面の前記連結セクションにて切り抜かれたボア（３０，３１）内に係合可能なことを特徴とする、請求項２に記載のコーナコネクタ。
【請求項４】
凹部（４６，４７）が、前記斜め支柱（１２）の前記端部（２６，２７）内に切り抜かれており、当該凹部（４６，４７）内に、前記棒形状プロファイル要素の前記周方向面の前記連結セクションに配置されたピン（４８，４９）が係合可能なことを特徴とする、請求項２に記載のコーナコネクタ。
【請求項５】
前記コーナコネクタ（１１）の前記コネクタセクション（２０，２１）が、前記棒形状プロファイル要素のロッド断面にその断面が適合されたコネクタ要素（２２，２３）を含むことを特徴とする、請求項１〜４のいずれか一項に記載のコーナコネクタ。
【請求項６】
前記コネクタ要素（２０，２１）が前記コーナコネクタ（１１）の前記コネクタセクション（２０，２１）内に交換可能に配置されていることを特徴とする、請求項５に記載のコーナコネクタ。
【請求項７】
前記連結要素（１１）が、２つ、３つ、４つ、５つ又は６つのコネクタセクション（２０，２１）を含み、各場合に、互いに隣接する２つのコネクタ要素が互いに対してほぼ垂直に向けられていることを特徴とする、請求項１〜６のいずれか一項に記載のコーナコネクタ。
【請求項８】
棒形状プロファイル要素のための組立システムであって、請求項７に記載の複数のコーナコネクタを含み、少なくとも２つのコーナコネクタが、異なる個数のコネクタ要素（２０，２１）を有する、組立システム。
【請求項９】
棒形状プロファイル要素（１８，１９）から組み立てられた耐荷重又は保持フレーム（６０）であって、少なくとも２つのプロファイル要素（１８，１９）が請求項１〜７のいずれか一項に記載のコーナコネクタ（１０）を介して互いに連結されていることを特徴とする、耐荷重又は保持フレーム（６０）。
【請求項１０】
前記フレーム（６０）が設置要素（６１）のための締結手段（５０，６２，６４，７０，７１）を含むことを特徴とする、請求項９に記載の耐荷重又は保持フレーム。
【請求項１１】
前記締結手段が磁気ホルダ（５０）を含むことを特徴とする、請求項１０に記載の耐荷重又は保持フレーム。
【請求項１２】
前記締結手段が保持レール（７０）を含むことを特徴とする、請求項１０及び１１のいずれかに記載の耐荷重又は保持フレーム。
【請求項１３】
前記締結手段が弾性的に取り付けられた保持ピン（７１）を含むことを特徴とする、請求項１０〜１２のいずれか一項に記載の耐荷重又は保持フレーム。
【請求項１４】
前記締結手段が、前記フレーム内に切り抜かれた第１のスロット及び第２のスロット（６２，６４）を含み、前記設置要素（６１）が、前記フレーム（６０）に連結される各側辺上に、前記フレーム（６０）内に切り抜かれた第１開口部（６２）内に係合する少なくとも１つの第１の突起（６３）と、前記第１突起（６３）の長手方向延在部にほぼ対応している前記第１開口部（６２）の長手方向延在部と、前記フレーム（６０）内に切り抜かれた第２開口部（６４）内に係合する少なくとも１つの第２の突起（６５）とを有し、前記第２開口部（６４）の長手方向延在部が前記第２の突起（６５）の長手方向延在部よりも大きいことを特徴とする、請求項１０〜１３のいずれか一項に記載の耐荷重又は保持フレーム。
【手続補正２】
【補正対象書類名】明細書
【補正対象項目名】００２８
【補正方法】変更
【補正の内容】
【００２８】
前記斜め支柱に、好ましくは、ねじ又はクイックアクションテンショナにより、前記コーナコネクタに向かって張力が加えられる。このために、ねじ頭部が前記斜め支柱上に、例えばワッシャ又はロッキングワッシャを介して配置される。前記ねじの他端はその雄ねじにより、前記コーナコネクタのボアに設けられた雌ねじ内に係合する。前記ねじがねじ込まれると、前記斜め支柱が前記コーナコネクタに向かって引張られ、そして同時に、前記プロファイル要素を前記コーナコネクタに向かって引張る。このようにして、前記２つのプロファイル要素の、前記コーナコネクタへの（従って互いの）安定的な連結が保証されるだけでなく、同時に、前記プロファイル要素の、前記コーナコネクタにより予め決められている角度への位置合わせもされる。
【国際調査報告】
2017529504.tif 000019
2017529504.tif 000020
2017529504.tif 000021
2017529504.tif 000022
2017529504.tif 000023
2017529504.tif 000024